(57)【要約】【課題】水平フレームが撓むのを防止して、衣料を掛け止めたままであってもスムーズに伸縮得る衣料掛けを提供する。【解決手段】所要間隔離間して並列配置された脚部２２,２２に、高さ調節可能に構成された支柱２４が夫々立設される。また、両脚部２２,２２は、水平方向に伸縮自在な水平フレーム７２により接続されると共に、両支柱２４,２４の上端に水平方向に伸縮自在な掛止バー２６が架設される。水平フレーム７２は、水平方向に所定長さで延在する第１固定フレーム７２ａと、この第１固定フレーム７２ａに伸縮自在に挿入される第１スライドフレーム７２ｂとから構成される。第１固定フレーム７２ａの裏面における第１スライドフレーム７２ｂが挿入される開放端７２ｃ側に、キャスター６０が配設される。【選択図】図１
0003128581.tif 000002
【実用新案登録請求の範囲】
【請求項１】
所要間隔離間して配置されてキャスター(60)を備えた脚部(22)に支柱(24)を夫々立設し、水平方向に伸縮自在な水平フレーム(72)により両脚部(22,22)を連結すると共に、両支柱(24,24)の上端を水平方向に伸縮自在な衣料掛止部(26)により連結した衣料掛けにおいて、
前記水平フレーム(72)は、水平方向に所定長さで延在する中空の第１固定フレーム(72a)と、該第１固定フレーム(72a)の開放端(72c)に挿入され、第１固定フレーム(72a)に対する挿入長さを変更可能な第１スライドフレーム(72b)とを備え、
前記第１固定フレーム(72a)における前記開放端(72c)側の下面に、第２のキャスター(60)を配設した
ことを特徴とする衣料掛け。
【請求項２】
前記脚部(22)を断面円形の中空状に形成すると共に、上下に所要長さを有する中空状の接続体(28,29)を介して脚部(22)および支柱(24)が接続され、
前記接続体(28,29)の下端に脚部(22)の外形寸法と同一に設定された半円弧状のフランジ(62)を配設し、
前記フランジ(62)と同一径に設定された半円弧状の金具(64)が、前記脚部(22)を挟んだ位置に配設され、
前記支柱(24)の下端部(30b)における径寸法を、前記接続体(28,29)における上側の端部と嵌合し得る寸法に設定し、
前記フランジ(62)および金具(64)を介して前記脚部(22)を挟持し、更に前記支柱(24)および接続体(28,29)を相互に嵌合させた後に、脚部(22)の外側面から接続部材(66)を挿入螺合することにより、該支柱(24)および脚部(22)を相互に接続固定するようにした請求項１記載の衣料掛け。
【請求項３】
前記衣料掛止部(26)は、水平方向に延在する中空の第２固定フレーム(26a)と、該第２固定フレーム(26a)の開放端(26c)に挿入され、第２固定フレーム(26a)に対する挿入長さを変更可能な第２スライドフレーム(26b)とを備え、
前記第１固定フレーム(72a)と第２固定フレーム(26a)との開放端(72c,26c)側を、上下方向に延在する支持フレーム(74)で連結するよう構成した請求項１または２記載の衣料掛け。
【請求項４】
前記支柱(24)は、上下方向に延在する中空の第３固定フレーム(30)と、該第３固定フレーム(30)の開放端(30a)に挿入され、第３固定フレーム(30)に対する挿入長さを変更可能な第３スライドフレーム(32)とを備えると共に、
前記支持フレーム(74)は、上下方向に延在する中空の第４固定フレーム(74a)と、該第４固定フレーム(74a)の開放端(74c)に挿入され、第４固定フレーム(74a)に対する挿入長さを変更可能な第４スライドフレーム(74b)とを備え、
前記第３,第４固定フレーム(30,74a)に、該第３,第４固定フレーム(30,74a)の開放端(30a,74c)を縮径させて前記第３,第４スライドフレーム(32,74b)を所定位置に固定する固定位置および該開放端(30a,74c)を開放して第３,第４スライドフレーム(32,74b)の伸縮を許容する固定解除位置に変移可能なレバー状の固定手段(90)を夫々設けた請求項３記載の衣料掛け。
【請求項５】
前記第１固定フレーム(72a)および第２固定フレーム(26a)に、該第１,第２固定フレーム(72a,26a)の開放端(72c,26c)を縮径させて前記第１,第２スライドフレーム(72b,26b)を所定位置に固定する固定位置および該開放端(72c,26c)を開放して第１,第２スライドフレーム(72b,26b)の伸縮を許容する固定解除位置に変移可能なレバー状の固定手段(90)を夫々設けた請求項１〜４の何れか一項に記載の衣料掛け。
【考案の詳細な説明】
【技術分野】
【０００１】
この考案は、衣料掛けに関するものであり、更に詳細には、伸縮自在に構成された支柱の上端に衣料掛止部が架設された衣料掛けに関するものである。
【背景技術】
【０００２】
例えば、一般家庭内で衣料等を掛止するために使用されるものとして、パイプ状のフレームを組付けて所謂門型に形成された衣料掛けがある。このような衣料掛けとしては、その用途や設置場所等に合わせて様々なタイプのものが提案されているが、一般的には、所要間隔離間して並列配置された脚部からスチールパイプ等の支柱が立設され、両支柱の上端部に水平方向に延在する棒状の掛止バー(衣料掛止部)が架設されたものが多い(例えば、特許文献１参照)。
【０００３】
図７は、このような従来の衣料掛け１０を示す全体斜視図であって、一対の支柱１２,１２に架設される掛止バー１４が、固定フレーム１４ａおよびスライドフレーム１４ｂから構成されて、水平方向に伸縮自在となっている。また、所要間隔離間して前記支柱１２,１２を支持する脚部８,８は、水平フレーム１６によって水平方向に接続されている。この水平フレーム１６は、固定フレーム１６ａおよびスライドフレーム１６ｂから構成されて、前記掛止バー１４と同様に水平方向に伸縮自在とされている。すなわち、衣料掛け１０は、掛止バー１４および水平フレーム１６を伸縮させることで、掛け止め得る衣料の数を調節し得るようになっている。
【特許文献１】実用新案登録第３０２６３８９号
【考案の開示】
【考案が解決しようとする課題】
【０００４】
ところで、前記衣料掛け１０を水平方向に拡げて使用する場合、前記水平フレーム１６のスライドフレーム１６ｂが固定フレーム１６ａ内に挿入される長さが短くなり、該水平フレーム１６全体の剛性が小さくなってしまう。従って、水平フレーム１６の固定フレーム１６ａとスライドフレーム１６ｂとの挿入部位が下方に撓んで、水平フレーム１６をスムーズに伸縮させることができなくなってしまうことがある。同様に、前記掛止バー１４を大きく拡げた状態で多くの衣料を掛け止めると、該衣料の重量により掛止バー１４が下方へ撓んで、スムーズな伸縮が損なわれることがあった。従って、衣料を多く掛け止めている場合には、衣料掛け１０を伸縮させる度に、掛止バー１４から衣料を取外さなければならず、非常に煩雑であった。更に、掛止バー１４や水平フレーム１６が撓んだ状態に維持されると、両部材の変形を招来して伸縮を困難にすることも考えられる。
【０００５】
そこで本考案は、前述した従来技術に内在している前記課題に鑑み、これを好適に解決するべく提案されたものであって、掛止バーや水平フレームが撓むのを防止して、複数の衣料が掛け止めてある場合であっても、スムーズな伸縮を行ない得る衣料掛けを提供することを目的とする。
【課題を解決するための手段】
【０００６】
前記課題を克服し、所期の目的を達成するため、本考案に係る衣料掛けは、
所要間隔離間して配置されてキャスターを備えた脚部に支柱を夫々立設し、水平方向に伸縮自在な水平フレームにより両脚部を連結すると共に、両支柱の上端を水平方向に伸縮自在な衣料掛止部により連結した衣料掛けにおいて、
前記水平フレームは、水平方向に所定長さで延在する中空の第１固定フレームと、該第１固定フレームの開放端に挿入され、第１固定フレームに対する挿入長さを変更可能な第１スライドフレームとを備え、
前記第１固定フレームにおける前記開放端側の下面に、第２のキャスターを配設したことを特徴とする。
請求項１の考案によれば、水平フレームの下面に第２のキャスターを設けたことで、該水平フレームの第１固定フレームの開放端側をキャスターで支持でき、水平フレームの自重により開放端側が撓むのを防止できる。従って、水平フレームの伸縮をスムーズに行なうことができ、また、撓んだ状態が維持されて水平フレームが変形してしまうと云ったことがない。
【０００７】
請求項２に係る衣料掛けは、脚部を断面円形の中空状に形成すると共に、上下に所要長さを有する中空状の接続体を介して脚部および支柱が接続され、接続体の下端に脚部の外形寸法と同一に設定された半円弧状のフランジを配設し、フランジと同一径に設定された半円弧状の金具が、脚部を挟んだ位置に配設され、支柱の下端部における径寸法を、接続体における上側の端部と嵌合し得る寸法に設定し、フランジおよび金具を介して脚部を挟持し、更に支柱および接続体を相互に嵌合させた後に、脚部の外側面から接続部材を挿入螺合することにより、該支柱および脚部を相互に接続固定するようにした。
請求項２の考案によれば、フランジおよび金具により脚部を挟持し、また支柱の下端を接続体の端部に嵌合させて、該脚部および支柱を接続するようにしたので、両部材の接続強度を向上させることができる。従って、重量の嵩む衣料を複数掛止めしたり、あるいは衣料を掛けた状態で移動させるような場合であっても、ガタ付きが生じ難くなり、長期使用に十分耐えることができる。
【０００８】
請求項３に係る衣料掛けは、衣料掛止部を、水平方向に延在する中空の第２固定フレームと、該第２固定フレームの開放端に挿入され、第２固定フレームに対する挿入長さを変更可能な第２スライドフレームとから構成し、第１固定フレームと第２固定フレームとの開放端側を、上下方向に延在する支持フレームで連結するようにした。
請求項３の考案によれば、第２のキャスターが設けられた水平フレームの第１固定フレームにおける開放端側と衣料掛止部の第２固定フレームの開放端側とを上下に連結する支持フレームを設けたので、衣料掛止部に掛け止めた衣料の負荷を該支持フレームを介して第２のキャスターで支持することができる。従って、衣料掛止部や水平フレームが衣料の重量によって撓むことがなく、両部材をスムーズに伸縮させることができると共に、両部材の変形を防止し得る。
【０００９】
請求項４に係る衣料掛けは、支柱を、上下方向に延在する中空の第３固定フレームと、該第３固定フレームの開放端に挿入され、第３固定フレームに対する挿入長さを変更可能な第３スライドフレームとから構成すると共に、支持フレームは、上下方向に延在する中空の第４固定フレームと、該第４固定フレームの開放端に挿入され、第４固定フレームに対する挿入長さを変更可能な第４スライドフレームとを備え、第３,第４固定フレームに、該第３,第４固定フレームの開放端を縮径させて前記第３,第４スライドフレームを所定位置に固定する固定位置および該開放端を開放して第３,第４スライドフレームの伸縮を許容する固定解除位置に変移可能なレバー状の固定手段を夫々設けた。
請求項４の考案によれば、掛け止める衣料の丈に応じて、衣料掛けの高さを変更することができる。また、レバー状の固定手段を回動操作するだけで、第３,第４スライドフレームを固定・解除することができ、衣料掛けの高さ調節を容易に行ない得る。
【００１０】
請求項５に係る衣料掛けは、第１固定フレームおよび第２固定フレームに、該第１,第２固定フレームの開放端を縮径させて第１,第２スライドフレームを所定位置に固定する固定位置および該開放端を開放して第１,第２スライドフレームの伸縮を許容する固定解除位置に変移可能なレバー状の固定手段を夫々設けた。
請求項５の考案によれば、レバー状の固定手段を回動操作するだけで、第１,第２スライドフレームを固定・解除することができ、衣料掛けの水平方向の長さを容易に調節し得る。
【考案の効果】
【００１１】
本考案に係る衣料掛けによれば、掛止バーおよび水平フレームの撓みを防止して、複数の衣料が掛け止めてある場合であっても、両部材のスムーズな伸縮を実現し得る。
【考案を実施するための最良の形態】
【００１２】
次に、本考案に係る衣料掛けにつき、好適な実施例を挙げて、添付図面を参照しながら以下説明する。なお、以下の説明では、衣料掛けを図１に示す状態で見た場合において「右」・「左」・「上」・「下」と指称することとする。
【実施例】
【００１３】
実施例に係る衣料掛けは、図１に示すように、一対の脚部２２,２２が所要間隔離間して平行に配置され、各脚部２２の長手方向中央位置に支柱２４が垂直に立設されている。また、両脚部２２,２２は、水平方向に延在する水平フレーム７２によって連結されると共に、両支柱２４,２４の上端は、衣料を掛け止める掛止バー(衣料掛止部)２６によって連結される。更に、上下方向に延在する支持フレーム７４が、前記水平フレーム７２および掛止バー２６の間に架設され、両支柱２４,２４、掛止バー２６および水平フレーム７２により画成された領域を左右に二分している。なお、前記脚部２２は、所要長さのパイプ状に形成され、各脚部２２の両端部に、第１のキャスター６０,６０が取付けられている。
【００１４】
水平フレーム７２は、所定長さの中空状に形成された第１固定フレーム７２ａと、該第１固定フレーム７２ａに伸縮自在に嵌合される第１スライドフレーム７２ｂとから構成される。第１固定フレーム７２ａの左側の端部(開放端７２ｃ)は、第１スライドフレーム７２ｂを挿入し得るよう開口すると共に、第１固定フレーム７２ａの右側の端部は、右側の脚部２２および支柱２４を接続する接続体２８に固定されている。また、第１固定フレーム７２ａにおける開放端７２ｃの上面に通孔７２ｄが開設され、該通孔７２ｄを覆うように固定手段３６が設けられる(図２参照)。更に、第１固定フレーム７２ａには、前記開放端７２ｃの近傍に取付けたスリーブ９２に前記支持フレーム７４の下端が挿入接続されると共に、第１固定フレーム７２ａにおける支持フレーム７４の延長線下方に取付けた取付部７８に第２のキャスター６０が配設されている。前記第１スライドフレーム７２ｂは、全体が第１固定フレーム７２ａより小径に設定されて、該第１固定フレーム７２ａ内を摺動し得るよう構成される。また、第１スライドフレーム７２ｂにおける左側の端部は、左側の脚部２２および支柱２４を接続する接続体２９に固定されている。
【００１５】
前記固定手段３６は、図２に示すように、左右方向に開口した筒状部８０と、該筒状部８０の上部に設けられたネジ孔部８２と、該ネジ孔部８２に外方から螺挿されるネジ部８４とを備えている。前記筒状部８０は、前記水平フレーム７２の第１固定フレーム７２ａの外径と略一致した内径を有する筒状体であって、第１固定フレーム７２ａの前記開放端７２ｃ側に外挿される。前記筒状部８０のネジ孔部８２は、該筒状部８０を第１固定フレーム７２ａに外挿した状態で、第１固定フレーム７２ａの通孔７２ｄと整列するようになっており、前記ネジ部８４をネジ孔部８２に螺挿することで、ネジ部８４が通孔７２ｄ内に臨むようになっている。すなわち、前記筒状部８０を水平フレーム７２の第１固定フレーム７２ａに外挿したもとで、第１スライドフレーム７２ｂを該第１固定フレーム７２ａに挿入し、前記ネジ孔部８２に螺挿したネジ部８４を固定方向に回転させることにより、ネジ部８４の下端が通孔７２ｄを介して第１固定フレーム７２ａの内部に臨んで第１スライドフレーム７２ｂの外面に当接する。これにより、第１固定フレーム７２ａ内での第１スライドフレーム７２ｂの移動が規制され、該第１スライドフレーム７２ｂが固定される。なお、前記ネジ部８４を他方向(固定解除方向)へ回転させると、該ネジ部８４の下端が第１スライドフレーム７２ｂから離間して該フレーム７２ｂの固定が解除され、第１固定フレーム７２ａ内で第１スイラドフレーム７２ｂが移動可能となる。
【００１６】
前記第２のキャスター６０は、図２に示すように、雄ネジ部８６ａが形成された固定ネジ８６と、該固定ネジ８６の下端に水平方向に回転自在に取付けられると共に、水平な回転軸に枢支されて自身も回転自在なローラ８８とから構成される。そして、前記水平フレーム７２に設けた取付部７８の下面に、固定ネジ８６を螺挿することで、前記キャスター６０が取付部７８の下面に固定される。すなわち、第２のキャスター６０は、第１固定フレーム７２ａと第１スライドフレーム７２ｂとの連結部位近傍を支持するよう構成される。
【００１７】
また、図１に示すように、前記掛止バー２６は、所定長さの中空状に形成された第２固定フレーム２６ａと、該第２固定フレーム２６ａに伸縮自在に嵌合される第２スライドフレーム２６ｂとから構成される。第２固定フレーム２６ａの左側の端部(開放端２６ｃ)は、第２スライドフレーム２６ｂを挿入し得るよう開口している。第２スライドフレーム２６ｂは、全体が第２固定フレーム２６ａより小径に設定されて、該第２固定フレーム２６ａ内を摺動し得るよう構成される。すなわち掛止バー２６は、前記水平フレーム７２と同様に、水平方向に伸縮し得るようになっている。なお、掛止バー２６は、前記支柱２４,２４の上端にネジ４０,４０を介して固定される。また、前記第２固定フレーム２６ａの開放端２６ｃ側に、前記水平フレーム７２に設けられた固定手段３６と同じ固定手段３６が設けられ、該固定手段３６により第２スライドフレーム２６ｂを所望の位置で固定し得るようになっている。
【００１８】
前記各支柱２４は、前記脚部２２に接続体２８,２９を介して接続される第３固定フレーム３０と、該第３固定フレーム３０に摺動自在に嵌合される第３スライドフレーム３２とから構成されている。図３および図４に示すように、支柱２４の第３固定フレーム３０における下側の端部(下端部３０ｂ)は、一段小さな外形寸法で所要長さ延在しており、その開口部は、中心部に雌ネジ部３８ａが設けられた蓋部材３８により閉塞されている。支柱２４の第３スライドフレーム３２は、全体が第３固定フレーム３０の内径より僅かに小さな外径寸法に設定され、第３スライドフレーム３２は第３固定フレーム３０に対し上下に伸縮し得るよう構成される。また、前述したように、各支柱２４における第３スライドフレーム３２の上端に、前記掛止バー２６がネジ４０により接続されている。なお、支柱２４の第３固定フレーム３０の開放端３０ａに前記固定手段３６が設けられ、該固定手段３６により第３スライドフレーム３２を所望位置に固定するよう構成される。
【００１９】
前記接続体２８,２９は、夫々、支柱２４の第３固定フレーム３０よりも十分に短い寸法に設定された断面円形状の管体であって、その下端部にフランジ６２が固着されている(図３,図４に、右側の接続体２８を図示)。接続体２８,２９の内径寸法は、前記第３固定フレーム３０における下端部３０ｂの外径と略一致しており、該下端部３０ｂを接続体２８,２９に嵌合して第３固定フレーム３０が接続体２８,２９に接続される。また、フランジ６２は、前記脚部２２の外径寸法と略同一に湾曲成形された半円弧状の部材であり、フランジ６２の裏面が脚部２２の外面と当接するようになっている。
【００２０】
前記脚部２２の裏面には、該脚部２２の外径寸法と略同一に湾曲成形された半円弧状の金具６４が配設される。このフランジ６２および金具６４には、図４に示すように、ネジ(接続部材)６６の雄ネジ部６６ａの通過を許容する通孔６２ａ,６４ａが開設されると共に、前記脚部２２における両通孔６２ａ,６４ａに対応する上下の位置に通孔２２ａ,２２ａが穿設されている。そして前記脚部２２は、フランジ６２および金具６４に上下の関係で挟持された状態で、前記接続体２８,２９を介して前記第３固定フレーム３０に接続されるようになっている。
【００２１】
前記支持フレーム７４は、水平フレーム７２および掛止バー２６の両第１,第２固定フレーム７２ａ,２６ａ間を接続するよう上下方向に配設される。この支持フレーム７４も、第４固定フレーム７４ａおよび第４スライドフレーム７４ｂから構成され、上下方向に伸縮し得るよう構成されている。すなわち、支持フレーム７４の第４固定フレーム７４ａの下端が、水平フレーム７２の第１固定フレーム７２ａの開放端７２ｃ側に固定されると共に、支持フレーム７４の第４スライドフレーム７４ｂの上端が、掛止バー２６の第２固定フレーム２６ａの開放端２６ｃ側に固定され、該掛止バー２６に加わる衣料の負荷を支持フレーム７４が支持するようになっている。すなわち、掛止バー２６に掛け止められた衣料の負荷は、支持フレーム７４を介して前記第２のキャスター６０で支持されるようになっている。なお、支持フレーム７４の第４固定フレーム７４ａの開放端７４ｃに前記固定手段３６が設けられ、該固定手段３６により第４スライドフレーム７４ｂを所望の位置で固定し得るようになっている。
【００２２】
なお、右側の支柱２４および支持フレーム７４の第３,第４スライドフレーム３２,７４ｂには、両フレーム３２,７４ｂの外径よりも僅かに大きな内径を有した摺動スリーブ９４,９４が各固定手段３６,３６上に当接状態で外挿されている。そして、このスリーブ９４,９４が、左右に延在する中間フレーム７６により連結されている。すなわち、この中間フレーム７６は、支柱２４,２４および支持フレーム７４を伸縮させても、前記摺動スリーブ９４,９４が第３,第４スライドフレーム３２,７４ｂを摺動して上下動しないように設定されている。そして、この中間フレーム７６により、右側の支柱２４および支持フレーム７４が画成する領域が上下に二分され、該右側の領域に丈の短い衣服を掛け止め得るようになっている。
【００２３】
(実施例の作用)
次に、実施例に係る衣料掛け２０の作用について説明する。先ず、各脚部２２と支柱２４(第３固定フレーム３０)とを接続する際には、図３および図４に示す如く、脚部２２の上下面を前記フランジ６２および金具６４で挟んだ後、接続体２８に対して支柱２４の第３固定フレーム３０の下端部３０ｂを挿入嵌合させる。そして、金具６４の下方外側面から通孔６４ａを介してネジ６６を挿入した後、前記脚部２２の通孔２２ａ,２２ａおよびフランジ６２の通孔６２ａを貫通させ、ネジ６６の雄ネジ部６６ａを、第３固定フレーム３０の下端に設けられた蓋部材３８の雌ネジ部３８ａに螺合させることによって、脚部２２および第３固定フレーム３０を相互に接続固定する。このとき、脚部２２と接続体２８との当接面が、フランジ６２および金具６４によって確保されて、接続強度が向上される。
【００２４】
次に、前記支柱２４に設けられた固定手段３６を開放状態にしたもとで、前記第３固定フレーム３０の開放端３０ａから第３スライドフレーム３２を嵌合する。そして、第３スライドフレーム３２を所定長さまで第３固定フレーム３０内に挿入し、前記固定手段３６のネジ部８４をネジ孔部８２に螺挿して固定方向に回転する。これにより、前記ネジ部８４の下端が第３スライドフレーム３２に当接して、該フレーム３２が固定される。更に、前記掛止バー２６を前記第３スライドフレーム３２,３２の上端にネジ４０,４０を介して固定すると共に、各脚部２２にキャスター６０,６０を取付ける。
【００２５】
前記水平フレーム７２、支持フレーム７４および掛止バー２６についても、支柱２４と同様に、各固定フレーム７２ａ,７４ａ,２６ａにスライドフレーム７２ｂ,７４ｂ,２６ｂを挿入させた後、夫々に設けられた固定手段３６により各スライドフレーム７２ｂ,７４ｂ,２６ｂを所定位置で固定する。このとき、前記支柱２４,２４および支持フレーム７４の各スライドフレーム２４ｂ,２４ｂ,７４ｂを同じ長さに設定すると共に、掛止バー２６および水平フレーム７２の各スライドフレーム２６ｂ,７２ｂの長さを同じに設定する。更に水平フレーム７２の取付部７８の下面に第２のキャスター６０の固定ネジ８６を螺挿して、該キャスター６０を取付ける。なお、右側の支柱２４の第３スライドフレーム３２と支持フレーム７４の第４スライドフレーム７４ｂには、前記摺動スリーブ９４,９４を介して中間フレーム７６が上下方向に移動自在に架設される。
【００２６】
次に、衣料掛け２０の高さ調節を行なう場合には、両支柱２４,２４および支持フレーム７４に設けた固定手段３６のネジ部８４を固定解除方向へ回転させて、夫々の第３,第４スライドフレーム３２,３２,７４ｂの固定を解除させる。すなわち、前記ネジ部８４の下端が第３,第４スライドフレーム３２,３２,７４ｂから離脱して、該第３,第４スライドフレーム３２,３２,７４ｂに対する規制が解除される。そして、これら第３,第４スライドフレーム３２,３２,７４ｂを伸縮させ、全ての第３,第４スライドフレーム３２,３２,７４ｂの長さを一致させたもとで、前記ネジ部８４を固定方向へ回転させる。すなわち、前記ネジ部８４の下端が前記筒状部８０内へ臨んで各スライドフレーム３２,３２,７４ｂに当接し、該スライドフレーム３２,３２,７４ｂが固定される。
【００２７】
一方、衣料掛け２０の左右方向の長さ調節を行なう場合には、水平フレーム７２および掛止バー２６の第１,第２スライドフレーム７２ｂ,２６ｂを伸縮させる。すなわち、掛止バー２６および水平フレーム７２に設けられた各固定手段３６ネジ部８４を固定解除方向へ回転させ、各第１,第２スライドフレーム７２ｂ,２６ｂの固定を解除する。そして、水平フレーム７２および掛止バー２６の第１,第２スライドフレーム７２ｂ,２６ｂの長さを所望の長さに揃え、前記ネジ部８４を固定方向へ回転させて該フレーム７２ｂ,２６ｂを固定する。これにより、衣料掛け２０の水平方向の長さが変更される。
【００２８】
以上に示したように、実施例に係る衣料掛け２０によれば、水平フレーム７２の下面に第２のキャスター６０を設けたことで、該水平フレーム７２の第１固定フレーム７２ａの開放端７２ｃ側をキャスター６０で支持でき、水平フレーム７２の開放端７２ｃ側が自重で撓むのを防止できる。従って、水平フレーム７２ｃの伸縮をスムーズに行なうことができ、また、撓んだ状態が維持されて水平フレーム７２が変形してしまうと云ったことがない。
【００２９】
また、実施例に係る衣料掛け２０は、フランジ６２および金具６４により脚部２２を挟持し、また支柱２４の下端部３０ｂを接続体２８,２９のに嵌合させて、該脚部２２および支柱２４を接続するようにしたので、両部材２２,２４の接続強度を向上させることができる。従って、重量の嵩む衣料を複数掛止めしたり、あるいは衣料を掛けた状態で移動させるような場合であっても、ガタ付きが生じ難くなり、長期使用に十分耐えることができる。
【００３０】
更に、実施例に係る衣料掛け２０は、第２のキャスター６０が設けられた第１固定フレーム７２ａの開放端７２ｃ側と第２固定フレーム２６ａの開放端２６ｃ側とを上下に連結する支持フレーム７４を備えているので、掛止バー２６に加わる衣料の負荷が該支持フレーム７４を介して第２のキャスター６０に支持される。従って、掛止バー２６や水平フレーム７２が衣料の重量によって撓むことがなく、両部材２６,７２をスムーズに伸縮させることができると共に、両部材２６,７２の変形を防止し得る。
【００３１】
(変更例)
なお、実施例では、ネジ部８４を筒状部８０に螺挿することで第１〜第４スライドフレーム７２ｂ,３２,２６ｂ,７４ｂを固定する固定手段３６を採用した場合を示した。しかしながら、この固定手段としては、実施例のものに限られず、他の構成を適宜採用することが可能である。図５および図６は、別例に係るレバー状の固定手段９０を支柱２４に設けた状態を示す図であって、該固定手段９０は、第３固定フレーム３０の開放端３０ａに一体成形された締付部４２と、該開放端３０ａを強制的に縮径して、第３スライドフレーム３２を固定するレバー状固定具７０とから構成される。また、第３固定フレーム３０の開放端３０ａには、上下方向のスリット３４が形成されている。前記締付部４２は、第３固定フレーム３０の開放端３０ａに整合する開口を有するリング状に形成され、第３固定フレーム３０のスリット３４と上下に整合する箇所に、切欠き５２が上下方向に設けられている。また、締付部４２には、切欠き５２を挟む位置に一対の取付片５４,５４が対向して設けられ、夫々の取付片５４の略中央に通孔５４ａが開設されている。
【００３２】
前記レバー状固定具７０は、取付片５４,５４の通孔５４ａ,５４ａに挿通され、一方の端部に雄ネジ部４４ａを形成した棒状部４４と、該棒状部４４の他方端に枢支されるレバー５０と、該雄ネジ部４４ａに螺合する位置決め部４６と、レバー５０および位置決め部４６との間に介挿される押圧部４８とを備えている。すなわち、押圧部４８に形成した貫通孔４８ａが棒状部４４を挿通されて、押圧部４８が棒状部４４に沿って摺動するようになっている。また、位置決め部４６は、前記棒状部４４を貫通するよう形成されており、雄ネジ部４４ａに対するネジ込み量に応じて、棒状部４４に対して位置決め部４６を移動させ得るようになっている。ここで、レバー状固定具７０は、押圧部４８と位置決め部４６との間に、前記取付片５４,５４が位置するよう締付部４２に組付けられ、取付片５４,５４を押圧部４８および位置決め部４６により挟持する姿勢に保持される。すなわち、この位置決め部４６は、棒状部４４が取付片５４,５４の通孔５４ａ,５４ａから抜けるのを防止すると共に、締付部４２の締付強度を調整し得るよう構成される。
【００３３】
前記レバー５０の一端に形成されて棒状部４４に枢支される枢支部５８は、略円形状に形成されて、該枢支部５８の中心から偏倚した位置に、棒状部４４が枢支されている。すなわち、レバー５０の枢支部５８は偏心カムの如く機能し、レバー５０が回動することで位置決め部４６と枢支部５８との離間距離が変化し、これにより、前記押圧部４８が位置決め部４６(取付片５４,５４)に対して近接または離間移動する。従って、レバー５０の枢支部５８と、位置決め部４６とが最も離間する開放位置(図６の２点鎖線で示す固定解除位置)では、締付部４２が縮径されず、第３スライドフレーム３２の移動が許容されるようになっている。一方、レバー５０(枢支部５８)と位置決め部４６とが最も近接する固定位置(図６の実線で示す)では、枢支部５８により押圧部４８が位置決め部４６側へ移動し、両取付片５４,５４が近接する方向に押圧される。これにより、前記締付部４２が締め付けられて第３固定フレーム３０の開口寸法が縮径し、前記第３スライドフレーム３２が固定される。なお、前記スリット３４および切欠き５２を形成したことで、締付部４２および第３固定フレーム３０が変形し、第３固定フレーム３０の開口寸法が縮径する。
【００３４】
このように、変更例に係る固定手段９０を採用することで、レバー５０を回動操作するだけで、各スライドフレームの伸縮調節を容易に行なうことができる。なお、この変更例に係る固定手段９０は、実施例で示した支持フレーム７４、水平フレーム７２および掛止バー２６の固定手段３６,３６,３６に換えて採用することも可能である。また、支柱２４,２４および支持フレーム７４に変更例の固定手段９０を設けて、前記水平フレーム７２および掛止バー２６には、実施例の固定手段３６を設けるようにしてもよい。
【図面の簡単な説明】
【００３５】
【図１】実施例に係る衣料掛けを示す全体斜視図である。
【図２】水平フレームの要部を拡大して示す分解斜視図である。
【図３】脚部および支柱の接続構造を示す分解斜視図である。
【図４】脚部および支柱の接続構造を示す拡大断面図である。
【図５】変更例に係る固定手段を示す分解斜視図である。
【図６】変更例に係る固定手段を示す拡大斜視図である。
【図７】従来の衣料掛けを示す斜視図である。
【符号の説明】
【００３６】
２２ 脚部，２４ 支柱，２６ 掛止バー(衣料掛止部)
２６ａ 第２固定フレーム，２６ｂ 第２スライドフレーム
２６ｃ,３０ａ,７２ｃ,７４ｃ 開放端，２８ 接続体(右側)，２９ 接続体(左側)
３０ 第３固定フレーム，３２ 第３スライドフレーム，３０ｂ 下端部
６０ キャスター，６２ フランジ，６４ 金具，６６ ネジ(接続部材)
７２ 水平フレーム，７２ａ 第１固定フレーム
７２ｂ 第１スライドフレーム，７４ 支持フレーム
７４ａ 第４固定フレーム，７４ｂ 第４スライドフレーム
９０ レバー状の固定手段
【図１】
0003128581.tif 000003
【図２】
0003128581.tif 000004
【図３】
0003128581.tif 000005
【図４】
0003128581.tif 000006
【図５】
0003128581.tif 000007
【図６】
0003128581.tif 000008
【図７】
0003128581.tif 000009